(57)【要約】【課題】緯入れ方向に関し緯入れノズルと給糸カッタとの間に設けられると共に表面に付着した水により緯糸を保持する緯糸保持面を有する緯糸保持部材と、該緯糸保持部材を支持する支持装置とを有する水噴射式織機における緯糸保持装置において、緯糸の保持をより安定して行い、緯糸のノズル抜けをより確実に防止する。【解決手段】前記緯糸保持部材が、前記緯糸保持面としての第１の緯糸保持面及び該第１の緯糸保持面に対向する第２の緯糸保持面を有し、前記緯入れノズルを正面から見て、前記第１の緯糸保持面が筬打ち時における前記緯入れノズルと織前との間に連なる緯糸の経路と交差する位置に位置し、且つ、前記第１の緯糸保持面と前記第２の緯糸保持面との間に前記緯入れノズルの噴射口が位置する配置で設けられることを特徴とする。【選択図】      図１
2015117454.tif 000002
【特許請求の範囲】
【請求項１】
緯入れ方向に関し緯入れノズルと給糸カッタとの間に設けられると共に表面に付着した水により緯糸を保持する緯糸保持面を有する緯糸保持部材と、該緯糸保持部材を支持する支持装置とを有する水噴射式織機における緯糸保持装置において、
前記緯糸保持部材は、前記緯糸保持面としての第１の緯糸保持面及び該第１の緯糸保持面に対向する第２の緯糸保持面を有し、前記緯入れノズルを正面から見て、前記第１の緯糸保持面が筬打ち時における前記緯入れノズルと織前との間に連なる緯糸の経路と交差する位置に位置し、且つ、前記第１の緯糸保持面と前記第２の緯糸保持面との間に前記緯入れノズルの噴射口が位置する配置で設けられる
ことを特徴とする水噴射式織機における緯糸保持装置。
【請求項２】
前記緯糸保持部材は、貫通孔を有する部材であって、該貫通孔の内周面に前記第１の緯糸保持面及び前記第２の緯糸保持面を有する
ことを特徴とする請求項１に記載の水噴射式織機における緯糸保持装置。
【請求項３】
前記緯糸保持部材及び／又は前記支持装置は、前記緯糸保持面の経糸列側の端縁を緯入れ方向に位置調整可能とする位置調整部を有する
ことを特徴とする請求項１又は２に記載の水噴射式織機における緯糸保持装置。
【発明の詳細な説明】
【技術分野】
【０００１】
本発明は、水噴射式織機における緯糸保持装置であって、緯入れ方向に関し緯入れノズルと給糸カッタとの間に設けられると共に表面に付着した水により緯糸を保持する緯糸保持面を有する緯糸保持部材と、該緯糸保持部材を支持する支持装置とを有する緯糸保持装置に関する。
【背景技術】
【０００２】
前記のような緯糸保持装置は、例えば、緯入れされた緯糸が給糸カッタによって切断される際の緯入れノズルからの緯糸の抜けを防止するためのものである。詳しくは、緯入れされた緯糸が筬打ち動作によって織前側へ運ばれるのに伴い、固定配置された緯入れノズルと給糸側の織端との間の緯糸の部分（緯糸部分）は、その経路長が増加して張力が上昇する。そのため、筬打ち後にその緯糸部分を給糸カッタで切断すると、前記緯糸部分のうちの緯入れノズルに連なる部分が緯入れノズル側へ反発する所謂スプリングバックが発生し、それに伴って緯糸が緯入れノズルから抜ける所謂ノズル抜けが発生する場合がある。そこで、前記のような緯糸保持装置を設けて緯入れされた緯糸の前記緯糸部分を保持することにより、スプリングバックに伴うノズル抜けを防止するものである。
【０００３】
そのような緯糸保持装置の従来技術として、特許文献１に開示されたものがある。詳しくは、この特許文献１には、緯入れノズルと給糸カッタとの間に設けられる水噴射式用の緯糸保持装置であって、単一の板状部材で構成される緯糸保持装置（特許文献１の第３図参照。／以下、「従来装置」と言う。）が開示されている。そして、この従来装置においては、緯入れノズルから噴射される水が飛散することによって前記板状部材の表面に付着し、この表面に付着した水によって前記板状部材が緯糸を保持するものとなっている。
【先行技術文献】
【特許文献】
【０００４】
【特許文献１】実開平０３−０８１３８８
【発明の概要】
【発明が解決しようとする課題】
【０００５】
しかしながら、特許文献１に開示された従来装置では、緯糸の保持が安定して行われないという問題がある。詳しくは、以下の通りである。
【０００６】
従来装置においては、板状部材は筬打ち時点における前記緯糸部分の経路上の略中間位置に対応した位置に設けられており、緯入れされた緯糸の前記緯糸部分が筬打ち動作に伴って織前側へ変位する過程（特許文献１の図示の例では筬打ち時点付近）で板状部材の表面に接触し、その接触により緯糸が保持されるものとなっている。従って、従来装置においては、板状部材は、経糸方向において緯入れノズルよりも織前側に配置されるものとなっている。さらに、従来装置においては、前記位置における板状部材の保持側の面（保持面）と前記緯糸部分との接触による緯糸の保持を実現するために、板状部材は、その保持面を経糸列側へ向けるかたちで設けられるものとなっている。
【０００７】
しかし、そのようにして設けられた従来装置における板状部材では、その保持面に付着する水が少なく、緯糸を保持する力（緯糸保持力）が十分ではないという問題を有する。すなわち、従来装置における板状部材は、前記のように保持面を経糸列側へ向けて設けられているため、緯入れノズルから噴射されて飛散する水が板状部材の保持面に付着し難く、その結果として緯糸保持力が弱いものとなっている。そのため、従来装置においては、給糸カッタによる前記緯糸部分の切断に伴う前述のスプリングバックにより、前記緯糸部分が板状部分の保持面から離れ易いものとなっている。
【０００８】
しかも、従来装置においては、板状部材は前記のように経糸方向において緯入れノズルから織前側に離れた位置で設けられているのに対し、前記緯糸部分は前記スプリングバックによって緯入れノズル側へ向けて収縮する、すなわち、織前から離間する方向へ変位するため、板状部材の保持面から一度離れてしまった前記緯糸部分が再度保持面に付着する可能性が低いものとなっている。そして、その結果として、従来装置は、依然として前記ノズル抜けが発生し易いものとなっている。
【０００９】
以上のような従来の緯糸保持装置の実情を鑑み、本発明は、緯糸の保持をより安定して行うことができ、緯糸のノズル抜けをより確実に防止することができる水噴射式織機の緯糸保持装置を提供することを目的とする。
【課題を解決するための手段】
【００１０】
本発明は、水噴射式織機における緯糸保持装置であって、緯入れ方向に関し緯入れノズルと給糸カッタとの間に設けられると共に表面に付着した水により緯糸を保持する緯糸保持面を有する緯糸保持部材と、該緯糸保持部材を支持する支持装置とを有する緯糸保持装置を前提とする。
【００１１】
そして、本発明による緯糸保持装置は、前記緯糸保持部材が、前記緯糸保持面としての第１の緯糸保持面及び該第１の緯糸保持面に対向する第２の緯糸保持面を有し、前記緯入れノズルを正面から見て、前記第１の緯糸保持面が筬打ち時における前記緯入れノズルと織前との間に連なる緯糸の経路と交差する位置に位置し、且つ、前記第１の緯糸保持面と前記第２の緯糸保持面との間に前記緯入れノズルの噴射口が位置する配置で設けられることを特徴とする。なお、本出願において、前記の「噴射口」とは、緯入れノズルにおけるノズル本体に形成された貫通孔の緯入れノズル先端の部分であって緯入れノズル先端において外部に開口すると共に外部へ向けた噴射水の噴射が行われる開口を指す。
【００１２】
また、本発明による前記の緯糸保持装置において、前記緯糸保持部材は、貫通孔を有する部材であって、該貫通孔の内周面に前記第１の緯糸保持面及び前記第２の緯糸保持面を有するものとしても良い。
【００１３】
また、本発明による緯糸保持装置において、前記緯糸保持部材及び／又は前記支持装置は、前記緯糸保持面の経糸列側の端縁を緯入れ方向に位置調整可能とする位置調整部を有するものとしても良い。
【発明の効果】
【００１４】
本発明によれば、前記の前提となる緯糸保持装置において、前記緯糸保持部材が、前記緯糸保持面としての前記第１の緯糸保持面及び該第１の緯糸保持面に対向する前記第２の緯糸保持面を有し、緯入れノズルを正面から見て、前記第１の緯糸保持面と前記第２の緯糸保持面とが緯入れノズルの噴射口を挟むように配置されている、すなわち、前記緯糸保持面によって緯入れノズルの噴射口を囲む（緯入れノズルから噴射される噴射水の経路を囲む）ような配置で設けられているため、従来装置よりも多くの水が前記緯糸保持面に付着するものとなり、その結果、従来装置よりも緯糸保持力が大きいものとなる。
【００１５】
さらに、本発明による緯糸保持装置においては、前記緯糸保持部材における前記第１の緯糸保持面が緯入れノズルを正面から見て筬打ち時における緯入れノズルと織前との間に連なる緯糸の経路と交差する位置に位置し、且つ、前記第２の緯糸保持面が前記第１の緯糸保持面に対して向かい合う位置に位置するため、前記緯糸部分が給糸カッタによって切断されることに伴う前述のスプリングバックにより、前記緯糸部分が緯入れノズル側へ向けて収縮して織前から離間する方向へ変位し、前記第１の緯糸保持面から離れたとしても、その緯糸部分が前記第１の緯糸保持面に対向する前記第２の緯糸保持面によって受け止められるものとなっている。しかも、前記緯糸部分は、前記スプリングバックによって緯入れノズル側へ向けて収縮する際に蛇行状態となるため、上記のように前記第２の緯糸保持面によって受け止められて保持された部分よりも先端側の部分が前記第１の緯糸保持面に接触し、それによって前記緯糸部分が前記第１の緯糸保持面及び前記第２の緯糸保持面の両方で保持された状態となる。
【００１６】
従って、本発明による緯糸保持装置によれば、以上の作用により、従来装置と比べて前記緯糸部分の保持がより安定して行われるものとなり、その結果として、緯糸のノズル抜けがより確実に防止されるものとなる。
【００１７】
さらに、本発明による緯糸保持装置において、前記緯糸保持部材が、貫通孔を有する部材であって、該貫通孔の内周面に前記第１の緯糸保持面及び前記第２の緯糸保持面を有するものとすることにより、本発明をより簡単な構成で実現することができる。
【００１８】
また、本発明による緯糸保持装置において、前記緯糸保持部材及び／又は前記支持装置が、前記緯糸保持面の経糸列側の端縁を緯入れ方向に位置調整可能とする位置調整部を有するものとすることにより、前記緯糸保持部材及び／又は前記支持装置を取り換えることなく、前記のように緯糸の保持をより安定して行いつつも、良好な緯糸の飛走状態を実現することが可能となる。より詳しくは、以下の通りである。
【００１９】
通常、給糸カッタにより切断された後の緯糸部分は、その一部が緯入れノズルの先端から突出した状態となり、緯入れ開始時においては、その突出状態にある緯糸部分が緯入れノズルから垂れ下がった状態となっている。一般的には、その垂れ下がり状態となる緯糸部分の長さが短いほど、次回の緯入れ時における緯糸の飛走状態を良好なものとするために好ましいとされている。但し、本発明の場合は、緯入れノズルの噴射口の前方に緯糸保持部材が存在する構成であるため、切断後の緯糸部分は、緯糸保持部材の経糸列側の端縁（以下、単に「経糸列側端縁」とも言う。）から垂れ下がった状態となる。そして、この経糸列側端縁から垂れ下がった状態となる緯糸部分の長さは、緯入れ方向における緯糸列側端縁の位置に応じたものとなる。そのため、次回の緯入れ時における緯糸の飛走状態のみを考慮するのであれば、経糸列側端縁の位置ができるだけ経糸列に近い位置となるように緯糸保持部材を配置するのが好ましい。
【００２０】
一方、緯糸保持部材の配置（経糸列側端縁の位置）については、経糸列に近いほど、筬打ち時における緯糸部分の張力が高くなるため、前記スプリングバックにおける反発力が大きくなる。従って、緯糸保持部材の配置が経糸列に近いと、前記スプリングバックによる反発力が緯糸保持部材による保持力を上回り、緯糸部分が緯糸保持部材によって保持できない場合が生じる虞がある。
【００２１】
従って、緯入れ方向における緯糸保持部材の配置については、前記した緯糸保持部材からの緯糸部分の垂れ下がり長さ（次回の緯入れ時における緯糸の飛走状態）と、その配置に伴う前記スプリングバックによる反発力の大きさ（緯糸保持部材による緯糸の保持）との両方を考慮して設定する必要があるが、前記スプリングバックによる反発力の大きさについては、緯糸の種類（性質）によっても異なる。そこで、緯入れされる緯糸の種類に応じて緯入れ方向における緯糸保持部材の配置（経糸列側端縁の位置）を設定する必要があり、前記のように緯糸保持装置が位置調整部を有する構成とすることにより、その位置の設定が、前記緯糸保持部材及び／又は前記支持装置を取り換えることなく、緯入れ方向における緯糸保持部材の配置（経糸列側端縁の位置）調整によって行うことができるものとなる。
【図面の簡単な説明】
【００２２】
【図１】実施例の緯糸保持装置の平面図。
【図２】実施例の緯糸保持装置の正面図。
【図３】実施例の緯糸保持装置の側面図。
【図４】変形例（１）の緯糸保持装置の正面図。
【図５】変形例（１）の緯糸保持装置の平面図。
【図６】変形例（４）の緯糸保持部材の正面図（ａ）、（ｂ）。
【図７】変形例（６）の緯糸保持装置の側面断面図。
【発明を実施するための形態】
【００２３】
以下に、図１〜３に基づき、水噴射式織機における本発明による緯糸保持装置の一実施例を説明する。なお、本実施例では、本発明による緯糸保持装置が適用される水噴射式織機を、単一の緯入れノズルのみを備えて一種類の緯糸を緯入れするもの（一色の水噴射式織機）として説明する。
【００２４】
図示のように、水噴射式織機においては、緯入れノズル１は、緯入れ方向に関し経糸列１８よりも給糸側であって経糸方向に関し織前２よりも経糸送り出し側の所定位置において、例えば緯入れノズル１と一体的に形成された支持部１ｃを介し、図示しない織機フレームに対して固定されて設けられている。すなわち、緯入れノズル１は、緯入れ方向に関し給糸側の織端２ａ（以下、単に「織端２ａ」と言う。）よりも給糸側において、経糸方向に関し織前２から経糸送り出し側に離間した位置で、織機上に固定配置されている。なお、一般的な水噴射式織機においては、緯入れノズル１は、ノズル本体（ノズルボディ）１ｄを主体とし、そのノズル本体１ｄに軸線方向に沿った貫通孔１ｅが形成されると共に、その貫通孔１ｅにニードル（図示略）が挿入される構成となっている。また、本実施例では、織前２に至る経糸列１８（ワープライン）は水平に設定されており、緯入れノズル１は、鉛直方向に関しては、噴射口１ａの中心軸線１ｂが経糸列１８（織前２）と同じ高さ位置となるように設けられているものとする。
【００２５】
また、水噴射式織機においては、緯入れ方向に関し緯入れノズル１と織端２ａとの間の織端２ａの近傍における織前２の付近には、緯入れノズル１によって緯入れされた後の緯入れノズル１に連なる緯糸Ｗを、筬打ち後の所定のタイミングで切断するための給糸カッタ３が設けられている。
【００２６】
そして、前記のような構成を有する水噴射式織機において、緯入れ方向に関し織端２ａよりも緯入れノズル１側には、給糸カッタ３によって切断された緯糸Ｗを保持するための緯糸保持装置４が設けられている。また、この緯糸保持装置４は、緯入れ方向に関し緯入れノズル１と給糸カッタ３との間に設けられると共に表面に付着した水により緯糸Ｗを保持する緯糸保持面５を有する緯糸保持部材６と、この緯糸保持部材６を支持する支持装置７とを有している。各部の構成について、より詳しくは以下の通りである。
【００２７】
緯糸保持部材６は、本実施例では、直方体状の部材で構成されているものとする。そして、緯糸保持部材６は、長手方向に延在する４つの側面のうちの互いに平行に延在する２つの側面６ｅ、６ｅに開口する貫通孔６ａを有している。なお、貫通孔６ａは、断面が円形状の孔であって、緯入れノズル１の噴射口１ａの直径と比較して一回り大きい直径を有するものとして形成されている。また、貫通孔６ａは、図示の例では、側面６ｅ、６ｅ上において、長手方向に関し中間の位置よりも一端側に偏った位置に開口するように形成されている。
【００２８】
さらに、この緯糸保持部材６の貫通孔６ａには、後述する緯糸Ｗと貫通孔６ａの端縁との接触に伴って緯糸Ｗの糸切れが発生するのを防止するためのヤーンガイド１９が付設されている。より詳しくは、貫通孔６ａは、その一端側（開口する２つの側面６ｅ、６ｅの一方の側面側）が、それ以外の部分よりも若干大径に形成されており、その大径部分に嵌め込まれるかたちでヤーンガイド１９が設けられている。このヤーンガイド１９は、環状であって断面形状が円形の部材であり、緯入れノズル１の噴射口１ａの直径よりも大きく、且つ貫通孔６ａの直径よりも若干小さい内径を有するものとなっている。なお、図示の例では、貫通孔６ａにおける前記大径部分は、貫通孔６ａの軸線方向に関し、ヤーンガイド１９の幅寸法とほぼ同じ大きさに形成されている。従って、前記大径部分に嵌め込まれて取り付けられた状態において、ヤーンガイド１９は、前記一方の側面６ｅから突出しない（前記一方の側面６ｅとヤーンガイド１９の外側の端縁とが面一となる）構成となっている。
【００２９】
また、緯糸保持部材６には、支持装置７に対する取り付けのためのねじ部材（ボルト等）１４が螺挿される雌ねじ孔６ｃが形成されている。この雌ねじ孔６ｃは、前記４つの側面と直交する２つの面のうちの貫通孔６ａから遠い方の面（底面６ｆ）の中央に開口するかたちで形成されている。従って、緯糸保持部材６においては、幅方向（貫通孔６ａの中心軸線６ｂと直交する方向）において、貫通孔６ａの中心軸線６ｂの位置と雌ねじ孔６ｃの中心軸線の位置とが一致するものとなっている。
【００３０】
支持装置７は、本実施例では、緯糸保持部材６が固定される支持部材８と、支持部材８を支持すると共に図示しない織機フレームに対し固定される取付部材１０とで構成されている。より詳しくは、以下の通りである。
【００３１】
支持部材８は、平面視において長方形状を有する板状の部材であり、その両端部のそれぞれには、板厚方向に貫通する貫通孔８ａ、８ｂが形成されている。
【００３２】
また、取付部材１０は、平面視において長方形状を有する板状の支持部１０ａと、支持部１０ａの一端から連続すると共に支持部１０ａに対し直交する板状の取付部１０ｂとを一体的に形成したＬ字型の部材である。また、この取付部材１０において、支持部１０ａには、取付部１０ｂが形成される側とは反対側の他端側に、板厚方向に貫通すると共に支持部１０ａの長手方向に延在する長孔１０ｃが形成されている。さらに、取付部１０ｂには、その延在方向に関し支持部１０ａ側とは反対側に偏った位置に、板厚方向に貫通する貫通孔１０ｄが形成されている。
【００３３】
そして、支持装置７においては、取付部材１０は、その取付部１０ｂにおいて、図示しない織機フレームに対し固定されたブラケット１３に固定されて支持されている。より詳しくは、織機上には、経糸方向に関し緯入れノズル１よりも織前２側であって緯入れ方向に関し緯入れノズル１よりも反織端２ａの位置に、織機フレームに固定されるかたちで板状のブラケット１３が設けられている。そして、取付部材１０は、取付部１０ｂが鉛直方向に延在すると共に、支持部１０ａがブラケット１３から織端２ａへ向けて延在する配置で、取付部１０ｂに形成された貫通孔１０ｄに挿通されると共にブラケット１３に対し螺挿されるねじ部材（ボルト等）１５によって、ブラケット１３に対し取り付け支持されている。なお、ブラケット１３に支持された状態において、取付部材１０は、経糸方向に関し、支持部１０ａが織前２の近傍に位置するように設けられている。
【００３４】
その上で、支持部材８は、取付部材１０の支持部１０ａから経糸方向に関し緯入れノズル１側へ向けて経糸列１８と平行に延在するかたちで、一方の端部に形成された貫通孔８ｂに挿通されたねじ部材（ボルト等）１６が取付部材１０の長孔１０ｃに挿通されると共に、そのねじ部材１６にナット１７が螺合されることにより、取付部材１０に対し固定支持されている。
【００３５】
そして、緯糸保持部材６は、貫通孔６ａの中心軸線６ｂが織前２と平行であると共に、緯入れ方向に関し貫通孔６ａのヤーンガイド１９側の開口が経糸列１８側へ向けられる向きで、支持装置７の支持部材８に載置されるかたちで、支持部材８に固定されることによって支持装置７に支持されている。なお、支持部材８に対する緯糸保持部材６の固定は、支持部材８の他方の端部に形成された貫通孔８ａに対し下方から挿通されたねじ部材１４が緯糸保持部材６の底面６ｆに形成された雌ねじ孔６ｃに螺挿されることで成されている。
【００３６】
以上のような構成を有する緯糸保持装置４においては、取付部材１０の支持部１０ａは、長孔１０ｃが緯入れ方向に関し緯入れノズル１の近傍から織端２ａへ向けて延在するように設けられることができるようなブラケット１３からの延在方向における長さ寸法を有するものとなっている。因みに、図示の例では、長孔１０ｃは、緯入れ方向に関し、緯入れノズル１の近傍から緯入れノズル１と給糸カッタ３との間の略中間位置までの範囲に亘って延在している。従って、支持部材８は、緯入れ方向に関し、緯入れノズル１の近傍から緯入れノズル１と給糸カッタ３との間の略中間位置までの範囲で配置可能となっている。
【００３７】
また、支持部材８は、両端部に形成された貫通孔８ａ、８ｂの中心間の距離が、前記のようにブラケット１３に取り付けられた取付部材１０における長孔１０ｃの幅方向（経糸方向）の中心から緯入れノズル１の噴射口１ａの中心軸線１ｂまでの経糸方向の距離と一致するような長さ寸法を有している。従って、緯糸保持部材６は、緯入れ方向に関し緯入れノズル１と給糸カッタ３との間（より詳しくは、前記の緯入れノズル１の近傍から緯入れノズル１と給糸カッタ３との間の略中間位置までの範囲内）において、経糸方向に関し緯糸保持部材６の貫通孔６ａの中心軸線６ｂが緯入れノズル１の噴射口１ａの中心軸線１ｂと同じ位置となる位置に配置されることとなる。
【００３８】
その上で、支持装置７の取付部材１０は、支持部１０ａの支持部材８が取り付けられる面（図示の例では上面）が、その面に支持部材８が取り付けられた状態において、鉛直方向に関し支持部材８の上面（支持部材８に載置された状態にある緯糸保持部材６の底面６ｆ）から緯糸保持部材６の貫通孔６ａの中心軸線６ｂまでの距離とその支持部材８の上面から緯入れノズル１の噴射口１ａの中心軸線１ｂまでの距離とが一致する鉛直方向における高さ位置となるように設置されている。それにより、緯糸保持部材６は、緯入れ方向及び経糸方向における前記配置において、貫通孔６ａの中心軸線６ｂの位置と緯入れノズル１の噴射口１ａの中心軸線１ｂの位置とが一致するように設けられるものとなる。
【００３９】
すなわち、緯糸保持部材６の貫通孔６ａは、緯入れ方向に関し緯入れノズル１の噴射口１ａの織端２ａ側前方に位置し、緯入れノズル１を正面から見てその中心が緯入れノズル１における噴射口１ａの中心と一致するように設けられている。なお、前述のように、緯糸保持部材６の貫通孔６ａは、緯入れノズル１の噴射口１ａよりも大きい直径を有している。従って、緯入れノズル１を正面から見ると、緯糸保持部材６の貫通孔６ａ内に緯入れノズル１の噴射口１ａが位置するものとなっている。言い換えれば、緯入れノズル１を正面から見て、緯糸保持部材６における貫通孔６ａは、その内周面６ｄが緯入れノズル１の噴射口１ａを取り囲むようなかたちで設けられている。
【００４０】
その結果として、製織中の緯入れにおいて緯入れノズル１から噴射水が噴射されることに伴い、その噴射水及び噴射水によって搬送される緯糸Ｗは、緯糸保持部材６の貫通孔６ａ内を通過することとなる。
【００４１】
なお、緯入れノズル１から噴射される噴射水は、緯入れノズル１の噴射口１ａを出た直後から、その先端部の直径が噴射口１ａの直径よりも大きくなる。また、前述のように、貫通孔６ａは、緯入れノズル１の噴射口１ａの直径よりも大きい直径を有するものとしたが、その直径については、貫通孔６ａの内周面６ｄに噴射水による水が付着するような大きさに設定される必要があり、噴射水の外周部が貫通孔６ａの内周面６ｄに接触するような大きさに設定されるのが好ましい。そこで、本実施例では、貫通孔６ａの直径は、緯入れノズル１の噴射口１ａの直径よりも大きく、且つ、噴射水の先端部の直径よりも小さい大きさに設定されているものとする。従って、緯入れノズル１から噴射された噴射水は、その外周部において緯糸保持部材６における貫通孔６ａの内周面６ｄに接触しつつ、貫通孔６ａ内を通過する。これにより、緯入れ毎に緯入れノズル１から噴射水が噴射されることに伴い、緯糸保持部材６における貫通孔６ａの内周面６ｄに噴射水による水が付着する構成となっている。
【００４２】
そして、後述のように、緯入れノズル１と給糸側の織端２ａとの間の緯糸Ｗの部分（緯糸部分）のうち、給糸カッタ３により切断された後の緯入れノズル１に連なる部分は、この水が付着した緯糸保持部材６における貫通孔６ａの内周面６ｄに保持されるため、この貫通孔６ａの内周面６ｄが緯糸保持面５に相当するものとなる。但し、本実施例では、前述のように貫通孔６ａ内において貫通孔６ａの織端２ａ側端部にヤーンガイド１９が設けられる構成となっており、このヤーンガイド１９が設けられる部分については、ヤーンガイド１９の内周面が緯糸保持面５となる。すなわち、本実施例では、ヤーンガイド１９の内周面が緯糸保持面５の一部を形成している。
【００４３】
また、前述のように、緯糸Ｗは、緯入れにおいて、緯入れノズル１の前方に位置する緯糸保持部材６の貫通孔６ａ内を通過して経糸列１８による開口に至るものとなっている。そのため、その緯入れ終了後の筬打ち動作によって緯入れされた緯糸Ｗが織前２側へ向けて運ばれるのに伴い、前記緯糸部分は、緯糸保持面５の織端２ａ側の端縁５ａ（ヤーンガイド１９の外側の端縁）に接触して屈曲するかたちで筬１１に連なる状態となる。そして、筬打ち時においては、前記緯糸部分は、緯糸保持面５の端縁５ａから織前２に連なると共に、緯入れノズル１を正面から見たときの緯糸保持面５の円周上における緯入れノズル１の噴射口１ａの中心軸線１ｂ（貫通孔６ａの中心軸線６ｂ）と織前２とを結ぶ直線と交差する位置で緯糸保持面５と交差する状態となる。従って、本実施例においては、本発明で言う「第１の緯糸保持面」は、緯糸保持面５を円周方向で分割した一部であって、緯入れノズル１を正面から見たときのその円周方向の範囲に前記交差する位置を含む部分がそれに相当する。
【００４４】
また、本発明で言う「第２の緯糸保持面」については、緯糸保持面５のうちの前記した第１の緯糸保持面と対向する部分であり、緯入れノズル１を正面から見たときのその円周方向の範囲に、前記交差する位置と緯入れノズル１の噴射口１ａの中心軸線１ｂを挟んで対向する位置を含む部分がそれに相当する。従って、本実施例の第２の緯糸保持面は、緯入れノズル１を正面から見たときのその円周方向の範囲内において、織前２と緯入れノズル１の噴射口１ａの中心軸線１ｂとを通る直線と交差する。
【００４５】
このように、本実施例（本発明）における第１、第２の緯糸保持面は、それぞれが緯糸保持部材における緯糸保持面として機能する面の一部であって、各緯糸保持面は緯入れノズル１の噴射口１ａを挟んで互いに対向すると共に上下方向に延在し、且つ第１の緯糸保持面は織前２と緯入れノズル１の噴射口１ａの中心軸線１ｂとを通る直線と緯入れノズル１の噴射口１ａよりも織前２側で交差し、第２の緯糸保持面は前記直線と緯入れノズル１の噴射口１ａよりも反織前２側で交差する。なお、第１、第２の緯糸保持面の上下方向（前記円周方向）の延在範囲について、第２の緯糸保持面については、後述のように切断に伴うスプリングバックによって第１の緯糸保持面から離間する緯糸をより確実に受け止められるような範囲に亘って存在するように設定されるのが好ましい。また、第１の緯糸保持面については、そのような第２の緯糸保持面の全範囲に亘って対向するように存在するような範囲に設定されるのが好ましい。
【００４６】
その上で、本実施例では、緯糸保持部材６における緯糸保持面５が、緯入れノズル１を正面から見て、緯入れノズル１の噴射口１ａ周りで全周に亘って連続する構成となっているため、第１、第２の緯糸保持面については、緯糸保持面５における緯入れノズル１の噴射口１ａの中心軸線１ｂを通る直線ＶＬであってその中心軸線１ｂと織前２とを通る直線（本実施例の場合は、水平方向に延在するワープライン）と直交する直線ＶＬよりも織前２側の部分を第１の緯糸保持面５ｂとし、その直線ＶＬよりも反織前２側の部分を第２の緯糸保持面５ｃとしている。
【００４７】
以上のような構成を有する緯糸保持装置４を有する本実施例の水噴射式織機においては、緯入れに際し、緯入れノズル１から噴射水が噴射されると、緯糸Ｗは、その噴射水によって牽引され、噴射水と共に緯入れノズル１の前方に位置する緯糸保持部材６の貫通孔６ａ内を通過する。また、その通過に際し、噴射水は、前述のように、その外周部において緯糸保持部材６における貫通孔６ａの内周面６ｄに接触しつつ貫通孔６ａ内を通過する。従って、その噴射水の通過に伴い、その貫通孔６ａの内周面６ｄ、すなわち、緯糸保持面５（第１の緯糸保持面５ｂ及び第２の緯糸保持面５ｃ）に対し、その全体に亘って水が付着するものとなる。
【００４８】
そして、前記のように噴射水と共に緯入れノズル１から射出された緯糸Ｗが経糸列１８による開口内を飛走することによって緯入れが行われ、その緯糸Ｗの先端が反給糸側の所定位置に到達した時点でその緯入れが終了される。その後、緯入れされた緯糸Ｗが筬打ち動作によって織前２側へ向けて運ばれるのに伴い、緯糸Ｗは、前記緯糸部分において、緯糸保持部材６の貫通孔６ａにおける緯糸保持面５のうちの前述の第１の緯糸保持面５ｂにおける織端２ａ側の端縁５ａ（ヤーンガイド１９の外側の端縁）に接触し、その端縁５ａにおいて屈曲された状態となる。そして、筬打ち時においては、前記緯糸部分が、第１の緯糸保持面５ｂの端縁５ａにおいて屈曲されて織前２に連なる状態となる。また、その筬打ち動作の過程において、前記緯糸部分は、給糸カッタ３の２枚の刃の間に案内される。そして、前記緯糸部分は、筬打ち後の所定のタイミングにおいて給糸カッタ３により切断される。
【００４９】
なお、前記のような筬打ち動作に伴い、前記緯糸部分は、その経路長が増加するため、筬打ち時においては、その張力が上昇した状態となっている。そのため、前記のように給糸カッタ３により切断されることに伴い、前記緯糸部分のうちの緯入れノズル１に連なる部分（ノズル側部分）が、スプリングバックによって緯入れノズル１側へ向けて収縮し、その全体が経糸方向に関し織前２から離間しつつ緯入れ方向に関し緯入れノズル１側に向かって変位する。
【００５０】
このような給糸カッタ３による切断に伴う緯糸Ｗの前記ノズル側部分のスプリングバックに対し、本発明による緯糸保持装置４によれば、緯糸保持面５が緯入れノズル１の噴射口１ａの前方に配置されるかたちで緯糸保持部材６が設けられていて緯糸Ｗの前記ノズル側部分が緯糸保持面５を形成する緯糸保持部材６の貫通孔６ａ内を経由して緯入れノズル１に至るものとなっているため、前記スプリングバックによる緯入れノズル１側への変位の過程で、緯糸Ｗの切断直後における前記ノズル側部分のうちの緯糸保持部材６から経糸列１８側へ突出する部分は、緯入れノズル１の噴射口１ａに達する前に必ず貫通孔６ａ内に達する。しかも、前記のように、緯糸保持面５に相当する貫通孔６ａの内周面６ｄは、緯入れ毎にその全体に亘って緯入れノズル１からの噴射水による水が接触するものとなっており、その全体に亘って常に水が十分に付着した状態となっている。従って、緯糸Ｗの前記ノズル側部分は、前記変位の過程において貫通孔６ａの内周面６ｄに接触し、その接触した部分で前記のように水が付着した緯糸保持面５に保持されるものとなる。
【００５１】
また、前記スプリングバックによる緯入れノズル１側への変位の過程で、緯糸Ｗの前記ノズル側部分は、経糸方向に関し織前２から離間する方向へ変位するため、筬打ち時において緯糸保持面５における第１の緯糸保持面５ｂの端縁５ａに接触していた緯糸Ｗの前記ノズル側部分は、第１の緯糸保持面５ｂから離間する場合もあるが、本発明による緯糸保持装置４によれば、緯糸保持面５が、その第１の緯糸保持面５ｂに対し緯入れノズル１の噴射口１ａを間に挟むかたちで対向する第２の緯糸保持面５ｃを有する構成となっているため、緯糸Ｗの前記ノズル側部分が第１の緯糸保持面５ｂから離間したとしても、その緯糸Ｗの前記ノズル側部分が第１の緯糸保持面５ｂに対向する第２の緯糸保持面５ｃによって受け止められることになる。しかも、緯糸Ｗの前記ノズル側部分は、前記スプリングバックによって緯入れノズル１側へ向けて収縮する際に蛇行した状態となるため、上記のように第２の緯糸保持面５ｃによって受け止められて保持された部分よりも先端側の部分が第１の緯糸保持面５ｂに接触し、それによって緯糸Ｗの前記ノズル側部分が第１の緯糸保持面５ｂ及び第２の緯糸保持面５ｃの両方で保持された状態となる。
【００５２】
従って、本発明による緯糸保持装置４によれば、前記スプリングバックによって緯糸Ｗの切断直後における前記ノズル側部分のうちの緯糸保持部材６から経糸列１８側へ突出する部分が緯入れノズル１に至る前に、緯糸Ｗの前記ノズル側部分の保持が確実に行われるものとなり、その結果として、緯糸Ｗの前記ノズル側部分のノズル抜けがより有効に防止されるものとなる。
【００５３】
また、本実施例においては、緯糸保持部材６における第１の緯糸保持面５ｂ及び第２の緯糸保持面５ｃは、緯糸保持部材６に形成された貫通孔６ａの内周面６ｄによって構成されている（内周面６ｄに含まれている）、すなわち、単一の部材に一体的に設けられているため、その第１の緯糸保持面５ｂ及び第２の緯糸保持面５ｃを設けるための構成が簡単なものとなっており、且つ、第１の緯糸保持面５ｂ及び第２の緯糸保持面５ｃを所定の位置に配置するための緯糸保持部材６の支持構造も簡単なものとすることができる。これにより、本発明を簡単な構成で実現することができている。
【００５４】
さらに、本実施例では、緯糸保持部材６を支持する支持装置７において、緯糸保持部材６を直接的に支持する支持部材８が、緯入れ方向に延在するように設けられる取付部材１０の支持部１０ａに対し、その支持部１０ａに形成された長孔１０ｃを介して取り付けられる構成となっている。そして、その構成により、緯糸保持部材６は、緯入れ方向に関し、緯入れノズル１の近傍から緯入れノズル１と緯糸カッタ３との間の略中間位置までの範囲において配置調整可能となっている。すなわち、本実施例においては、上記のように設けられる取付部材１０が長孔１０ｃを有する構成により、緯糸保持部材６における緯糸保持面５の経糸列１８側の端縁５ａが、上記範囲において緯入れ方向に関し位置調整可能となっている。従って、支持装置７における取付部材１０の支持部１０ａのうち長孔１０ｃが形成される部分が、緯糸保持面５の経糸列１８側の端縁５ａを緯入れ方向に位置調整可能とする位置調整部９に相当するものとなり、本実施例では、支持装置７が位置調整部９を有するものとなっている。
【００５５】
そして、緯糸保持装置４が前記のような位置調整部９を有することにより、緯糸保持部材６や支持装置７（取付部材１０）を異なる構成のものに取り替えることなく、前記端縁５ａの位置を、緯糸Ｗの種類に応じて、緯糸Ｗの前記ノズル側部分が緯糸保持面５に保持された際の緯糸保持部材６からの緯糸Ｗの前記ノズル側部分の垂れ下がり長さ、及び緯糸Ｗの種類に応じた前記スプリングバックによる反発力の大きさを考慮した適切なものに設定することができる。
【００５６】
なお、本発明は、以上で説明した実施例に限定されるものではなく、以下（１）〜（７）の様に変形させた態様でも実施することができる。
【００５７】
（１）緯糸保持部材について、前記実施例では、直方体状の部材であり、緯糸保持面を形成するために貫通孔が穿設される構成としたが、本発明の緯糸保持装置における緯糸保持部材はそのような形状のものに限らず、例えば、管状（中空円筒状）の部材であっても良い。そして、その場合、管状の部材における内周面が緯糸保持面に相当するものとなる。また、前記実施例では、直方体状の緯糸保持部材が支持装置に載置されるかたちで支持されるものとなっているが、本発明における緯糸保持部材の支持構造はそのようなものに限らず、例えば、緯糸保持部材を前記のように管状の部材とした場合には、その緯糸保持部材が支持装置に嵌め込まれるかたちで支持される構成とすることも可能である。このような緯糸保持部材を管状の部材とした場合の緯糸保持装置の一例について、図４、５に基づき以下に説明する。なお、図４、５に示す例は、前記実施例と同様に、一色の水噴射式織機に適用した例である。
【００５８】
図示の例において、緯糸保持部材２１は前記のように管状の部材であり、従って、軸線方向に貫通する貫通孔２１ａを有している。また、その貫通孔２１ａの直径は、前記実施例の貫通孔６ａの直径と同じ大きさに設定されているものとする。さらに、その緯糸保持部材２１は、その長手方向の長さ寸法が、緯入れ方向における緯入れノズル１と給糸カッタ３との距離の略半分の大きさであるものとする。そして、緯糸保持部材２１は、支持装置２２に支持され、前記実施例と同様に、貫通孔２１ａが緯入れノズル１の噴射口１ａの織端２ａ側前方に位置すると共に、緯入れノズル１を正面から見て貫通孔２１ａの中心が緯入れノズル１における噴射口１ａの中心と一致するように設けられている。なお、図示のように、緯糸保持部材２１においても、前記実施例の貫通孔６ａと同様に、貫通孔２１ａの一端側にヤーンガイド１９が嵌め込まれて取り付けられている。
【００５９】
そして、緯糸保持装置２０における緯糸保持部材２１は、前記のように、支持装置２２に対し嵌め込まれるかたちで支持装置２２によって支持されている。より詳しくは以下の通りである。
【００６０】
支持装置２２は、図示の例では、緯糸保持部材２１を直接的に支持する支持部材２３と、支持部材２３を支持すると共に図示しない織機フレームに対し固定される取付部材２４とで構成されている。なお、取付部材２４については、前記実施例の取付部材１０と同様の構成とする。但し、前記実施例の取付部材１０は、支持部材８を取り付けるためのねじ部材１６が挿通される孔を長孔としているが、この例では、２つの丸孔となっている。また、これに対応させるかたちで、支持部材２３の取付部材２４に取り付けられる部分（固定部２３ｃ）にも、２つの丸孔が形成されている。そして、支持部材２３は、支持部材２３及び取付部材２４に形成された上記孔に挿通されるねじ部材１６及びナット１７によって取付部材２４に固定されている。
【００６１】
支持部材２３は、前記の固定部２３ｃと、貫通孔２３ｄを有すると共にその貫通孔２３ｄに連通するスリ割り部２３ｈを含む割締め構造を有する割締め部２３ａと、取付部材２４に取り付けられた状態において固定部２３ｃから上方へ向けて延在するように形成されると共にその反固定部２３ｃ側の端部において割締め部２３ａを支持する支承部２３ｂとを有し、これらの各部が一体に形成されたものとなっている。その上で、緯糸保持部材２１は、支持部材２３における割締め部２３ａの貫通孔２３ｄに挿入されて支持部材２３に対し割締め固定されており、それにより、緯糸保持部材２１が、前述のような配置で、支持装置２２（支持部材２３及び取付部材２４）によって支持される構成となっている。
【００６２】
そして、この例においても、緯糸保持面２７として機能する緯糸保持部材２１における貫通孔２１ａの内周面が、緯入れノズル１の前方において、緯入れノズル１を正面から見て緯入れノズル１の噴射口１ａを取り囲む（緯糸保持面２７に含まれる第１の緯糸保持面２７ｂと第２の緯糸保持面２７ｃとの間に噴射口１ａが位置する）構成となっており、緯糸Ｗの保持に関し前記実施例と同様の作用が得られるものとなっている。
【００６３】
（２）位置調整部について、前記実施例では、支持装置７における取付部材１０に長孔１０ｃを形成する構成としたが、本発明における位置調整部はそのような構成に限らない。すなわち、前記（１）で述べたように、図４、５の例では、管状の緯糸保持部材２１が、支持装置２２の支持部材２３における割締め部２３ａによって締付け固定されて支持される構成となっている。従って、図４、５の例においては、割締め部２３ａにおけるねじ部材による締付けを緩めることにより、緯糸保持部材２１は、割締め部２３ａの貫通孔２３ｄ内で軸線方向に変位可能となり、緯糸保持面２７（貫通孔２１ａの内周面）の経糸列１８側の端縁２７ａが緯入れ方向に位置調整可能となる。従って、図４、５の例では、支持装置２２における支持部材２３の割締め部２３ａが位置調整部に相当するものとなる。但し、図４、５の例において、支持装置２２における取付部材２４に対する支持部材２３の取付構造を、前記実施例と同様に長孔を用いたものとし、取付部材２４と支持部材２３との間で緯入れ方向における位置調整が可能な構成としても良い。
【００６４】
また、位置調整部について、支持装置が前記実施例の構成の場合であっても、その位置調整部の構成については前記実施例のものに限らず、支持装置７における取付部材１０に形成された長孔１０ｃによるものに代えて、取付部材１０の支持部１０ａに対しその長手方向に沿って複数の丸孔を形成し、いずれの丸孔にねじ部材１６を挿通させるかによって支持部材８の緯入れ方向の位置が段階的に調整されるものとし、それによって緯糸保持面５の経糸列１８側の端縁５ａが緯入れ方向に位置調整される構成としても良い。さらには、前記のように支持装置７における取付部材１０に対し支持部材８を緯入れ方向に位置調整可能とする場合において、取付部材１０におけるねじ部材１６が挿通される貫通孔を１つの丸孔とし、支持部材８におけるねじ部材１６が挿通される貫通孔８ｂを、支持部材８の板幅方向に長い長孔、もしくは、その板幅方向に沿って形成された複数の丸孔としても良い。
【００６５】
なお、前記実施例では、支持装置７が取付部材１０と支持部材８との２つの部材で構成され、取付部材１０と支持部材８との間で位置調整が行われる、すなわち、支持装置７が位置調整部を備えるものとしたが、緯糸保持装置において、位置調整部については支持装置に設けられるものに限らず、緯糸保持部材に設けられる構成とすることも可能である。具体的には、例えば前記実施例の構成において、緯糸保持部材６に対し貫通孔６ａの中心軸線６ｂの方向に沿って複数の雌ねじ孔を形成し、支持装置７と緯糸保持部材６との間で位置調整が行われる構成としても良い。なお、この構成の場合は、緯糸保持部材６における前記複数の雌ねじ孔が形成される部分が位置調整部に相当するものとなる。また、前記実施例の構成に加えて緯糸保持部材が位置調整部を備えるものとし、緯糸保持装置が支持装置及び緯糸保持部材の両方に位置調整部を備える構成としても良い。
【００６６】
さらには、位置調整部については、以上のようなねじ部材が挿通又は螺挿される孔の構成によるものに限らず、例えば、支持装置における取付部材に対する支持部材の組み付け（及び／又は、支持装置（支持部材）に対する緯糸保持部材の組み付け）を、緯入れ方向に摺動可能な凹凸嵌合もしくは蟻溝嵌合とし、両者の位置を押しねじ等で固定する構成等であっても良い。
【００６７】
但し、本発明による緯糸保持装置においては、位置調整部は必須の構成ではなく、支持装置の構成及び支持装置に対する緯糸保持部材の取付構造が、緯糸保持部材を所定の位置でのみ支持する、すなわち、緯糸保持面の経糸列側の端縁の位置を調整不能に緯糸保持部材を支持するものであっても良い。
【００６８】
（３）緯糸保持装置について、前記実施例では、一色の水噴射式織機（単一の緯入れノズルのみを備える水噴射式織機）に適用される例について説明したが、本発明による緯糸保持装置については、複数の緯入れノズルを備える多色の水噴射式織機に適用可能である。その場合、緯糸保持装置が複数の緯入れノズルと同じ数の複数の緯糸保持部材を有するものであっても良いし、単一の緯糸保持部材が、内周面が緯糸保持面として機能する貫通孔を、複数（緯入れノズルと同じ数）有するものであっても良い。さらには、水噴射式織機が３以上の緯入れノズルを備える場合において、１以上の前記貫通孔が形成された緯糸保持部材と２以上の前記貫通孔が形成された緯糸保持部材とが並設される構成であっても良い。
【００６９】
なお、緯糸保持部材が前記のように複数の緯糸保持部材を有する構成とする場合については、例えば、前記実施例の緯糸保持部材が支持装置における支持部材上に並設される構成、あるいは、図４、５に示す管状の緯糸保持部材が経糸方向に並設されるかたちで支持装置に支持される構成等とすれば良い。但し、経糸方向における緯入れノズルの配置間隔が小さい場合、緯入れノズルを正面から見て緯糸保持部材の前記貫通孔内に緯入れノズルの噴射口が位置するようなかたちで複数の緯糸保持部材を並設配置することが困難な場合がある。従って、経糸方向における緯入れノズルの配置間隔が小さい場合には、単一の緯糸保持部材に複数の前記貫通孔を形成する構成とした方が好ましい。
【００７０】
また、緯糸保持部材の前記貫通孔と緯入れノズルの噴射口との位置関係については、緯入れノズルを正面から見て前記貫通孔内に緯入れノズルの噴射口が位置する、すなわち、第１の緯糸保持面と第２の緯糸保持面との間に緯入れノズルの噴射口が位置するものであれば良く、必ずしも前記実施例のように緯入れノズルを正面から見て前記貫通孔の中心と緯入れノズルの噴射口の中心とが一致する（第１の緯糸保持面と第２の緯糸保持面との間の中間に緯入れノズルの噴射口の中心が位置する）ものでなくても良い。従って、前記のように複数の緯糸保持部材を並設する場合や単一の緯糸保持部材に複数の前記貫通孔を形成する場合において、緯入れノズルを正面から見て前記貫通孔の中心と緯入れノズルの噴射口の中心とが一致しない位置に緯糸保持部材が配置されるものであっても良い。言い換えれば、緯入れノズルを正面から見て経糸方向に関し緯入れノズルの中心から第１の緯糸保持面までの距離と緯入れノズルの中心から第２の緯糸保持面までの距離とが異なる大きさとなるような位置に緯糸保持部材が配置されるものであっても良い。
【００７１】
（４）第１の緯糸保持面及び第２の緯糸保持面について、前記実施例では、緯糸保持部材に貫通孔を形成し、その貫通孔の内周面が緯糸保持面として機能すると共に、その緯糸保持面を経糸方向において２分割した上で、織前側の部分を第１の緯糸保持面とし、反織前側の部分を第２の緯糸保持面としている。すなわち、前記実施例では、緯入れノズルを正面から見て、緯糸保持面が緯入れノズルの噴射口を全周に亘って取り囲むかたちで形成され、第１の緯糸保持面と第２の緯糸保持面とが緯入れノズルの噴射口の外周周りで連続的に存在する構成となっているが、本発明における第１の緯糸保持面及び第２の緯糸保持面の構成についてはそのようなものに限らず、各緯糸保持面が前記噴射口を挟んで互いに対向すると共に上下方向に延在し、且つ第１の緯糸保持面が織前と前記噴射口の中心軸線とを通る直線と前記噴射口よりも織前側で交差し、第２の緯糸保持面が前記直線と前記噴射口よりも反織前側で交差するかたちとなるように各緯糸保持面が設けられるものであれば良い。
【００７２】
例えば、緯入れノズルを正面から見て、第１の緯糸保持面と第２の緯糸保持面とが緯入れノズルの噴射口の外周周りにおいて連続しないかたちで設けられるものであっても良い。具体的には、図６の（ａ）で示すように、前記実施例と同様に貫通孔２８ａを有する緯糸保持部材２８に対し、その貫通孔２８ａから緯糸保持部材２８の長手方向における２つの端面のうちの貫通孔２８ａに近い方の端面へ開口すると共に貫通孔２８ａの中心軸線と平行に延在する開口部２８ｂを形成することにより、第１の緯糸保持面２８ｃと第２の緯糸保持面２８ｄとが、緯入れノズル１を正面から見て、開口部２８ｂの部分で連続しないものとしても良い。
【００７３】
さらには、図６の（ｂ）で示すように、前記の緯糸保持部材２８と同様に貫通孔２９ａ及び開口部２９ｄを有する緯糸保持部材２９に対し、その貫通孔２９ａ内のうちの開口部２９ｄに対向する部分において貫通孔２９ａの中心軸線と平行に延在する溝部２９ｅを形成することにより、第１の緯糸保持面２９ｂと第２の緯糸保持面２９ｃとが、緯入れノズル１を正面から見て、開口部２９ｄと溝部２９ｅの２つの部分を境界として連続しないものとしても良い。すなわち、第１の緯糸保持面２９ｂと第２の緯糸保持面２９ｃとが、緯入れノズル１を正面から見て、独立して対向するかたちで設けられるものとしても良い。
【００７４】
また、そのように第１の緯糸保持面と第２の緯糸保持面とが独立したかたちで設けられる場合については、両緯糸保持面が一体物の緯糸保持部材に形成されるものに限らず、緯糸保持部材が独立した（分割された）２つの部材で構成され、その２つの部材の一方に第１の緯糸保持面が形成されると共に、他方に第２の緯糸保持面が形成されるものであっても良い。具体的には、例えば、前記の緯糸保持部材２９における溝部２９ｅを緯糸保持部材２９の長手方向における２つの端面のうちの貫通孔２９ａから遠い方の端面へ開口する開口部とし、第１の緯糸保持面２９ｂが形成される部分と第２の緯糸保持面２９ｃが形成される部分とが経糸方向に分割された２つの部材で構成されるものであっても良い。あるいは、図４、５に示す例のように緯糸保持部材が管状の形状を有する場合において、その緯糸保持部材が、断面が半円形の円弧状の２つの部材で構成されたものとしても良い。
【００７５】
なお、緯糸保持部材が２つの部材で構成される場合においては、その各部材が共通の支持装置によって支持されるものに限らず、各部材がそれぞれに対応して設けられた支持装置により支持される、すなわち、緯糸保持部材が２つの支持装置によって支持される構成としても良い。
【００７６】
また、第１の緯糸保持面及び第２の緯糸保持面については、前記実施例のように、緯入れノズルを正面から見て、曲率が一定の曲面状（円弧状）の面として構成されるものに限らず、例えば、部分的に（両端部等において）曲率が異なる円弧状の面であっても良いし、あるいは、平面状の面や複数の平面が角度を成して組み合わされて構成されたものであっても良い。
【００７７】
（５）第１の緯糸保持面及び第２の緯糸保持面について、前記実施例では、緯糸保持部材に対し軸線方向に亘って同径の貫通孔が形成されてその貫通孔の内周面が緯糸保持面（第１、第２の緯糸保持面）として機能するものとなっており、第１の緯糸保持面と第２の緯糸保持面とが緯入れ方向と平行に延在するかたちで設けられるものとなっている。すなわち、前記実施例では、第１の緯糸保持面及び第２の緯糸保持面は、それらの緯糸保持面の間の距離が緯入れ方向に亘って一定であるように設けられるものとなっているが、本発明における第１の緯糸保持面及び第２の緯糸保持面についてはそのように設けられるものに限らず、両緯糸保持面間の距離が、緯入れ方向に関して少なくとも一部において異なるように設けられるものであっても良い。
【００７８】
例えば、前記実施例等のように緯糸保持部材に形成された貫通孔の内周面が緯糸保持面となる構成において、その貫通孔の内周面のうちの緯入れノズル側の端部をテーパ面として、緯入れノズル側の開口が反緯入れノズル側の開口よりも大径となるように貫通孔を形成し、緯入れノズル側の端部における前記距離がそれ以外の部分よりも大きくなるように第１の緯糸保持面及び第２の緯糸保持面が設けられるものとしても良い。
【００７９】
また、前記のように貫通孔の内周面が第１の緯糸保持面及び第２の緯糸保持面となる場合において、その貫通孔を反緯入れノズル側及び緯入れノズル側の一方から他方へ向けて内径が次第に大きくなるテーパ形状とし、前記距離が緯入れ方向に関し一端側から他端側に向かって次第に大きくなるように第１の緯糸保持面及び第２の緯糸保持面が設けられるものとしても良い。さらには、前述のように第１の緯糸保持面と第２の緯糸保持面とが独立したかたちで設けられる場合においても、同様に、緯糸保持部材における各緯糸保持面が形成される部分（部材）の緯入れ方向に関する形状により、前記距離が緯入れ方向に関し一端側から他端側に向かって次第に大きくなるような第１の緯糸保持面及び第２の緯糸保持面が設けられるものとしても良い。
【００８０】
なお、以上のように前記距離が緯入れ方向に関し一端側から他端側に向かって次第に大きくなるように第１の緯糸保持面及び第２の緯糸保持面が設けられる場合において、その距離が緯入れ方向に関し緯入れノズル側に向かって次第に大きくなるように設けられるものであっても良いし、あるいは反緯入れノズル側に向かって次第に大きくなるように設けられるものであっても良い。
【００８１】
（６）支持装置について、前記実施例では、緯糸保持部材を直接的に支持する支持部材と、この支持部材を支持すると共に織機フレームに対し固定される取付部材との２つの部材で構成されるものとしたが、本発明では、支持装置がそのように２つの部材で構成されるものに限らず、支持装置が単一の部材で構成され、その単一の部材が支持部材及び取付部材として機能する部分を有するものであっても良い。
【００８２】
また、前記実施例等では、緯糸保持部材が織機フレームに固定されたブラケットに取り付けられた支持装置によって支持されるものとしたが、本発明では、緯糸保持部材を支持する支持装置が織機フレームに対し直接的に固定された部材に取り付けられるものに限らず、支持装置は、緯入れノズルの周辺において織機フレームに対し固定的に配置された他の部材（又は装置）に取り付けられるものであっても良いし、緯入れノズルに対し取り付けられて緯入れノズルに対し緯糸保持部材を支持するものであっても良い。そのような構成の一例として、図７に、支持装置が緯入れノズルに対し取り付けられて緯入れノズルに対し緯糸保持部材を支持する例を示すと共に、以下に、その詳細について説明する。なお、図７に示すのは、前記実施例と同様に、一色の水噴射式織機に適用した例である。
【００８３】
図示の例の緯糸保持装置３０において、緯糸保持部材３１は、図４、５に例示した緯糸保持部材２１と同様の管状の部材であって、その緯糸保持部材２１と同様に、前記実施例における緯糸保持部材６の貫通孔６ａと同じ直径の貫通孔３１ａを有しており、その貫通孔３１ａの内周面が緯糸保持面３４として機能するものである。また、緯糸保持部材３１は、その長手方向の寸法についても、図４、５に示す緯糸保持部材２１と同じであるものとする。さらに、緯糸保持部材３１における貫通孔３１ａの一端側には、前記実施例等と同様に、ヤーンガイド１９が嵌め込まれて取り付けられている。その上で、緯糸保持部材３１においては、貫通孔３１ａの他端側は、その内周面に雌ねじが形成された雌ねじ部３１ｂとなっている。
【００８４】
そして、緯糸保持部材３１は、支持装置３２に支持され、貫通孔３１ａが緯入れノズル１の噴射口１ａの織端側前方に位置すると共に、緯入れノズル１を正面から見て貫通孔３１ａの中心が緯入れノズル１における噴射口１ａの中心と一致するように設けられている。
【００８５】
支持装置３２は、図示の例では、軸線方向に貫通する貫通孔３２ａを有する中空円筒状の部材であり、その軸線方向における中間位置の外周面に形成された大径のフランジ部３２ｂと、そのフランジ部３２ｂから軸線方向の一端側に向かって延在すると共に緯糸保持部材３１の貫通孔３１ａの内径に対応する外径を有する円筒状の支持部３２ｃであって緯糸保持部材３１を支持する支持部３２ｃと、フランジ部３２ｂから軸線方向の他端側に向かって延在する円筒状の取付部３２ｄであって緯入れノズル１に対し取り付けられる取付部３２ｄとを一体的に構成したものである。なお、支持部３２ｃは、緯糸保持部材３１における貫通孔３１ａの内径とほぼ同じ外径を有するものであり、また、図示の例では、取付部３２ｄの外径は、支持部３２ｃの外径と同じ大きさであるものとする。
【００８６】
また、この例では、緯入れノズル１におけるノズル本体１ｄに形成された貫通孔１ｅは、噴射口を含む先端側の部分がそれ以外の部分よりも大径に形成されている。そして、緯入れノズル１の貫通孔１ｅにおけるその大径の部分の内周面は、雌ねじが形成された雌ねじ部１ｉとなっている。また、緯入れノズル１の貫通孔１ｅにおける雌ねじ部１ｉの軸線方向における先端からの形成範囲は、支持装置３２における取付部３２ｄの軸線方向における長さ寸法と一致するものとなっている。
【００８７】
そして、支持装置３２の支持部３２ｃの外周面は、緯糸保持部材３１の貫通孔３１ａの内周面における雌ねじ部３１ｂに対し螺合可能な雄ねじが形成された雄ねじ部３２ｅとなっている。また、支持装置３２の取付部３２ｄの外周面は、緯入れノズル１の貫通孔１ｅの内周面における雌ねじ部１ｉに対し螺合可能な雄ねじが形成された雄ねじ部３２ｆとなっている。さらに、支持装置３２における貫通孔３２ａの内径は、緯入れノズル１の貫通孔１ｅにおける雌ねじ部１ｉに続く部分とほぼ同じ径に形成されているものとする。
【００８８】
その上で、緯糸保持装置３０においては、支持装置３２が取付部３２ｄ（雄ねじ部３２ｆ）において緯入れノズル１の貫通孔１ｅにおける雌ねじ部１ｉに螺合させて支持装置３２が緯入れノズル１に対し取り付けられた状態とすると共に、緯糸保持部材３１が貫通孔３１ａにおける雌ねじ部３１ｂを支持装置３２における支持部３２ｃ（雄ねじ部３２ｅ）に螺合させて緯糸保持部材３１が支持装置３２に対し取り付けられた状態とする。それにより、緯糸保持部材３１は、支持装置３２を介し、緯入れノズル１の前方において緯入れノズル１に対し取り付けられた状態となる。また、その取り付け状態においては、緯入れノズル１を正面から見て、緯糸保持部材３１の貫通孔３１ａ、支持装置３２の貫通孔３２ａ、及び緯入れノズル１の噴射口１ａの各中心が一致したものとなっている。但し、この例の場合、緯入れノズル１の先端部に支持装置３２が取り付けられるため、緯入れノズル１における噴射口１ａの内径は、支持装置３２における貫通孔３２ａの内径と一致したものとなる。
【００８９】
そして、この例においても、緯糸保持面３４として機能する緯糸保持部材３１における貫通孔３１ａの内周面が、緯入れノズル１を正面から見て緯入れノズル１の噴射口を取り囲む構成となっており、緯糸保持面に含まれる第１の緯糸保持面と第２の緯糸保持面との間に緯入れノズルの噴射口が位置する構成となっているため、緯糸の保持に関し前記実施例等と同様の作用・効果が得られるものとなる。
【００９０】
なお、緯糸保持装置を図７に示す緯糸保持装置３０のような構成とする場合において、支持装置に対する緯糸保持部材の固定については、前記のように緯糸保持部材及び支持装置の両者に形成されたねじ部を螺合させるものに限らず、例えば、支持装置に対し緯糸保持部材を緯入れ方向に摺動可能に嵌合させると共に、支持装置に対する緯糸保持部材の位置を押しねじ等で固定する構成としても良い。そして、そのような構成とすれば、緯糸保持部材における緯糸保持面の経糸列側の端縁が緯入れ方向に位置調整可能となり、支持装置が位置調整部を有するものとなる。
【００９１】
（７）前記実施例では、織前２に至る経糸列１８（ワープライン）が水平に設定されている水噴射式織機に本発明による緯糸保持装置が適用されるものとしたが、本発明が適用される水噴射式織機については、そのようにワープラインが水平方向に延在しているものに限らず、ワープラインが水平方向に対し傾斜した方向に延在している水噴射式織機にも適用可能である。なお、織機においてワープラインを傾斜させる場合でも、その水平方向に対する傾斜角度は１０°未満に設定されるのが一般的であるため、以上で説明した緯糸保持装置については、そのようにワープラインが傾斜している水噴射式織機に適用された場合でも、第１、第２の緯糸保持面については、第１の緯糸保持面が織前と前記噴射口の中心軸線とを通る直線と前記噴射口よりも織前側で交差すると共に第２の緯糸保持面が前記直線と前記噴射口よりも反織前側で交差し、その交差位置から上下方向に延在するものとなって、前記と同様の作用効果を奏するものとなる。
【００９２】
また、本発明は、以上で説明した実施形態に限定されるものではなく、本発明の趣旨を逸脱しない限りにおいて種々に変更することが可能である。
【符号の説明】
【００９３】
１  緯入れノズル
１ａ  噴射口
１ｂ  中心軸線
１ｃ  支持部
１ｄ  ノズル本体
１ｅ  貫通孔
１ｉ  雌ねじ部
２  織前
２ａ  織端
３  給糸カッタ
４  緯糸保持装置
５  緯糸保持面
５ａ  端縁
５ｂ  第１の緯糸保持面
５ｃ  第２の緯糸保持面
６  緯糸保持部材
６ａ  貫通孔
６ｂ  中心軸線
６ｃ  雌ねじ孔
６ｄ  内周面
６ｅ  側面
６ｆ  底面
７  支持装置
８  支持部材
８ａ  貫通孔
８ｂ  貫通孔
９  位置調整部
１０  取付部材
１０ａ  支持部
１０ｂ  取付部
１０ｃ  長孔
１０ｄ  貫通孔
１１  筬
１３  ブラケット
１４  ねじ部材
１５  ねじ部材
１６  ねじ部材
１７  ナット
１８  経糸列
１９  ヤーンガイド
２０  緯糸保持装置
２１  緯糸保持部材
２１ａ  貫通孔
２２  支持装置
２３  支持部材
２３ａ  割締め部
２３ｂ  支承部
２３ｃ  固定部
２３ｄ  貫通孔
２３ｈ  スリ割り部
２４  取付部材
２７  緯糸保持面
２７ａ  端縁
２７ｂ  第１の緯糸保持面
２７ｃ  第２の緯糸保持面
２８  緯糸保持部材
２８ａ  貫通孔
２８ｂ  開口部
２８ｃ  第１の緯糸保持面
２８ｄ  第２の緯糸保持面
２９  緯糸保持部材
２９ａ  貫通孔
２９ｂ  第１の緯糸保持面
２９ｃ  第２の緯糸保持面
２９ｄ  開口部
２９ｅ  溝部
３０  緯糸保持装置
３１  緯糸保持部材
３１ａ  貫通孔
３１ｂ  雌ねじ部
３２  支持装置
３２ａ  貫通孔
３２ｂ  フランジ部
３２ｃ  支持部
３２ｄ  取付部
３２ｅ  雄ねじ部
３２ｆ  雄ねじ部
３４  緯糸保持面
Ｗ  緯糸
【図１】
2015117454.tif 000003
【図２】
2015117454.tif 000004
【図３】
2015117454.tif 000005
【図４】
2015117454.tif 000006
【図５】
2015117454.tif 000007
【図６】
2015117454.tif 000008
【図７】
2015117454.tif 000009